(57)【要約】【課題】ネットワーク異常時に迅速対応を可能とする監視方法、及びそのネットワークシステムを提供する。【解決手段】ネットワークシステムの中央装置側に、中央装置表示部１０ａ、主線路表示部１１ａ、分岐線路表示部１２ａ、中継アンプ表示部２０ａからなる伝送系統図を設ける。又、中継アンプ表示部２０ａには、異常表示部２１、先頭表示部２２、電源供給器系統表示部２３を設ける。ネットワーク異常時には、各中継アンプの出力電圧等の状態情報と、中継アンプの系統情報、電源供給器系統情報等の関連情報を取得する。そして、それらの情報を伝送系統図に同時に表示する。電源供給器系統表示部２３が点灯した場合は、優先的に電源供給器系統を調査する。又、系統異常であれば先頭表示部２２が点灯した中継アンプを調査し、個別異常であれば個別の中継アンプを調査する。これにより、迅速対応が可能。【選択図】図２
2004215027.tif 000002
【特許請求の範囲】
【請求項１】
複数の中継アンプを有するネットワークシステムの監視方法であって、
中央装置が前記複数の中継アンプの状態情報と、前記複数の中継アンプの関連情報を入手し、
中央装置からの伝送経路図と、該伝送経路途中に設けられた前記複数の中継アンプとからなる伝送系統図に、少なくとも前記中継アンプの状態情報を表示することを特徴とするネットワークシステムの監視方法。
【請求項２】
前記関連情報は、前記中継アンプの系統情報、及び前記中継アンプに電力を供給する電源供給器情報、及び該電源供給器の系統を示す電源供給器系統情報であることを特徴とする請求項１に記載のネットワークシステムの監視方法。
【請求項３】
前記中央装置は、前記中継アンプの状態情報と前記中継アンプの系統情報により、異常系統の先頭の前記中継アンプを前記伝送系統図に他の異常の前記中継アンプとは異なるように表示することを特徴とする請求項１又は請求項２に記載のネットワークシステムの監視方法。
【請求項４】
前記中央装置は、前記中継アンプの前記状態情報において電源供給が異常な場合は、前記関連情報の１つである前記電源供給器系統情報に基づいて前記電源供給器が供給する他の前記中継アンプを前記伝送系統図に表示することを特徴とする請求項１乃至請求項３の何れか１項に記載のネットワークシステムの監視方法。
【請求項５】
中央装置と複数の中継アンプと複数の端末装置とからなるネットワークシステムであって、
前記中央装置又は前記中継アンプは、前記中継アンプの関連情報が記憶された記憶装置を有し、
更に、前記中央装置は前記中継アンプの前記関連情報と前記中継アンプから送信された前記中継アンプの状態情報に基づいて異常を表示する伝送系統表示装置を有することを特徴とするネットワークシステム。
【請求項６】
前記関連情報は、前記中継アンプの系統情報、及び前記中継アンプに電力を供給する電源供給器情報、及び該電源供給器の系統を示す電源供給器系統情報であることを特徴とする請求項５に記載のネットワークシステム。
【発明の詳細な説明】
【０００１】
【発明の属する技術分野】
本発明は、ネットワークシステムの監視方法、及びそのネットワークシステムに関する。特に、中央装置が中継アンプの状態情報、関連情報を取得し、その情報を伝送系統図に表示することで、監視及び異常診断を容易にするネットワークシステムの監視方法、及びそのネットワークシステムに関する。本発明は、双方向データ通信を行うＣＡＴＶネットワークシステム適用することができる。
【０００２】
【従来の技術】
従来より、データを複数の中継アンプで増幅して伝送するネットワークシステムがある。例えば、地上波放送、衛星放送、インタネット等のデータ通信を行うＣＡＴＶシステムがある。図３にＣＡＴＶシステムを示す。ＣＡＴＶシステムは、一般にＣＡＴＶ局に設けられた中央装置１００、中央装置１００から延出された主線路１１０、主線路１１０を中継する中継アンプ１２０、中継アンプ１２０の分岐端子に接続された分岐線路１３０、又その分岐線路１３０に接続された中継アンプ１２０、そして分岐線路１４０に接続された端末装置群１５０から構成されている。
【０００３】
この時、中央装置１００は各中継アンプ１２０にデータ信号を送信するだけでなく、各中継アンプ１２０をポーリングし各中継アンプ１２０から出力電圧等のデータを取得し、その稼動状態を監視している。例えば、ある中継アンプ１２０が故障した場合、即座にその中継アンプ１２０を同定し、例えば経路の切り替え、修理等を指示している。
【０００４】
【発明が解決しようする課題】
しかしながら、落雷等で中継アンプへの電力供給が停止すると、一度に多数の中継アンプが異常と判断され、多数の中継アンプの例えばアドレスが表示される。又、カスケード接続された中継アンプの何れか１台が故障すると、その故障中継アンプ以降の中継アンプそのものは正常であっても、異常と判定される場合がある。即ち、一度に多数の中継アンプの状態情報が寄せられるため、即座に異常中継アンプ、異常原因を解明することが困難であった。即ち、従来のネットワークの監視方法は、必ずしも効率のよい監視方法とは云えなかった。
【０００５】
本発明は上述した問題点を解決するためになされたものであり、その目的は、ネットワークシステムにおいて中央装置が各中継アンプの状態情報を取得し、その状態情報を伝送系統図に表示することで、中継アンプの個別異常、系統異常を容易に判別させることである。
又、中央装置はネットワークシステムの系統的異常時には異常系統の先頭の中継アンプを伝送系統図に他の異常中継アンプとは異なるように特徴的に表示し、調査優先度の高い中継アンプを明確にすることである。
又、中継アンプの関連情報から中継アンプに電力を供給する電源供給器情報と電源供給器系統情報を表示し、それに基づいて電源供給器異常を判定することである。
又、ネットワークシステムにおいて、中央装置又は中継アンプに中継アンプ系統等の関連情報を記憶させ、ネットワーク異常時にはその関連情報に基づいてネットワーク異常を個別的、又は系統的に表示することで、迅速対応可能なネットワークシステムを提供することである。
尚、上記の目的は、個々の発明が個々に達成する目的であって、個々の発明が全ての上記の目的を達成するものと解釈されるべきではない。
【０００６】
【課題を解決するための手段及び作用・効果】
上記の課題を解決するために、請求項１に記載の複数の中継アンプを有するネットワークシステムの監視方法は、中央装置が複数の中継アンプの状態情報と、複数の中継アンプの関連情報を入手し、中央装置からの伝送経路図とその伝送経路途中に設けられた複数の中継アンプとからなる伝送系統図に、少なくとも中継アンプの状態情報を表示することを特徴とする。
従来のネットワークシステムの監視方法は、例えばネットワークシステム異常時に中央装置が各中継アンプをポーリングによって個別に監視し、例えば異常中継アンプのアドレスを羅列するシステムであった。即ち、同時に多数の中継アンプ異常が送信されると、原因特定に混乱する場合があった。
【０００７】
本発明では、中央装置が複数の中継アンプの状態情報と、複数の中継アンプの関連情報を入手する。状態情報とは、例えばその中継アンプの電源電圧、増幅率等である。又、関連情報とは、その中継アンプの系統情報、及びその中継アンプに接続された他の機器の情報である。中央装置は、これらの情報を例えばポーリング等によってその都度入手する。又は、関連情報は予め入手しておく。そして、中央装置からの伝送経路図とその伝送経路途中に設けられた複数の中継アンプとからなる伝送系統図に、少なくとも個別の中継アンプの状態情報を表示する。
【０００８】
これにより、中継アンプの異常が系統的に視覚的に把握される。異常中継アンプが系統的に把握されるので、例えば調査順序等が明確になる。よって、異常時にも混乱なく対応することができる。又、関連情報により、異常時には管理者は原因探索の幅が広まり的確にその原因を推定することができる。尚、上記中継アンプは同軸ケーブル上の電気的なアンプ、及び光ファイバ上の光伝送装置の両者を意味する。信号を増幅して中継する意味の中継アンプであり、その媒体は問わない。又、伝送系統図は例えば中央装置の有する液晶画面、ＣＲＴ画面に形成されてもよいし、描画された伝送路とＬＥＤランプからなる大型パネルで形成されてもよい。視覚的に把握できる系統図であれば、その方式は問わない。
【０００９】
又、請求項２に記載の発明は請求項１に記載のネットワークシステムの監視方法であって、関連情報は中継アンプの系統情報、及び中継アンプに電力を供給する電源供給器情報、及びその電源供給器の系統を示す電源供給器系統情報であることを特徴とする。これにより、中央装置は中継アンプを系統的に調査することができる。
又、その電源供給器情報とその電源供給器系統情報により、特定の電源供給器とその系統をも把握することができる。特定の電源供給器とは、例えば出力電圧異常を示した電源供給器である。中央装置は中継アンプのみならず、それに給電する電源供給器とその電源供給器系統を把握するので、管理者は電源供給異常による中継アンプ異常を容易に推定することができる。
【００１０】
又、請求項３に記載の発明は請求項１又は請求項２に記載のネットワークシステムの監視方法であって、中央装置はネットワークシステムの異常時には中継アンプの状態情報とその中継アンプの系統情報により、異常系統の先頭の中継アンプを伝送系統図に他の異常の中継アンプとは異なるように表示することを特徴とする。
上流の中継アンプが異常となると、その系統の下流の中継アンプも異常となる場合がある。ネットワークシステムの異常時には異常系統の先頭の中継アンプを他の異常中継アンプとは異なるように伝送系統図に表示する。このように表示すれば、例えば管理者は即座に調査すべき中継アンプを特定することができる。尚、異常系統の先頭の中継アンプの表示は例えば点滅表示、発光強度強調表示、異なる発光色表示等である。他の中継アンプと異なるように表示すれば、表示方式は問わない。又、系統異常でない場合は、勿論、個別に該当する中継アンプを通常に点灯表示する。これにより、個別異常の中継アンプと異常系統の先頭の中継アンプが容易に判別可能となる。
【００１１】
又、請求項４に記載の発明は請求項１乃至請求項３の何れか１項に記載のネットワークシステムの監視方法であって、中央装置は中継アンプの状態情報において電源供給が異常な場合は、その中継アンプの関連情報の１つである電源供給器系統情報に基づいてその電源供給器が供給する他の中継アンプを伝送系統図に表示することを特徴とする。
中央装置は、各中継アンプの状態情報と関連情報を例えばポーリング等によって把握する。又は、関連情報は予め中央装置に記憶されている。そして、中継アンプの状態情報において電源供給が異常な場合、例えば電源電圧が所定電圧以下であれば、その関連情報の一つである電源供給器系統情報に基づいて、その電源供給器系統が供給する他の中継アンプを伝送系統図に表示する。例えば、その電源供給器系統を示す固有の発光色で表示する。これにより、異常中継アンプを意味する表示と、電源供給器系統異常を意味する表示（固有発光色表示）がペアで表示されれば、その原因は電源供給器系統異常である可能性が大である。よって、この場合は例えば管理者は電源供給器系統を調査する。逆に、異常中継アンプを意味する表示のみとなれば、少なくとも電源供給系統異常ではないことが判定される。よって、管理者は該当する中継アンプのみを調査すればよい。即ち、効率よくネットワーク異常に対処することができる。
【００１２】
又、請求項５に記載の発明は中央装置と複数の中継アンプと複数の端末装置とからなるネットワークシステムであって、中央装置又は中継アンプは、中継アンプの関連情報が記憶された記憶装置を有し、更に中央装置が中継アンプの関連情報と中継アンプから送信された中継アンプの状態情報に基づいて、異常を表示する伝送系統表示装置を有することを特徴とする。
中継アンプが記憶装置に関連情報を有している場合は、中央装置は例えばポーリングにより、中継アンプの関連情報を取得する。又、中継アンプの状態情報も得る。中央装置が記憶装置に中継アンプの関連情報を予め有している場合は、中央装置は中継アンプの状態情報のみを取得する。即ち、中央装置は必ず中継アンプの状態情報と関連情報を取得する。
【００１３】
中継アンプの関連情報とは、その中継アンプに接続されている他の機器情報、例えば電源供給器系統情報である。又、中継アンプの状態情報とは、例えば中継アンプの増幅率、出力電圧等である。そして、中央装置は例えばネットワーク異常の場合は、その中継アンプの状態情報と関連情報を伝送系統表示装置に表示する。即ち、複数の情報を伝送系統表示装置に表示する。このようにすれば、管理者は容易にその原因を推定することができる。例えば、中継アンプの異常表示を第１発光色で表示し、関連情報である他の機器情報を第２発光色で表示する。第１発光色表示と第２発光色表示がぺアとなれば、異常原因は関連機器異常の可能性が大であると判定される。中継アンプの異常表示が第１発光色のみであれば、その中継アンプ自身の異常と判定される。即ち、異常原因を内部要因とするか、若しくは外部要因とするかを容易に判定することができる。尚、伝送系統表示装置とは、例えば液晶画面、ＣＲＴ画面を有したコンピュータ装置である。若しくは、描画された伝送路とＬＥＤランプからなるコンピュータ制御可能な大型パネルである。
【００１４】
又、請求項６に記載の発明は請求項５に記載のネットワークシステムであって、関連情報は中継アンプの系統情報、及び中継アンプに電力を供給する電源供給器情報、及びその電源供給器の系統を示す電源供給器系統情報であることを特徴とする。ネットワークにおいて、中継アンプは線型状に、及び／又はツリー状に系統的にカスケード接続される。その系統において上流の中継アンプが異常となると、その系統の下流の中継アンプも異常となる場合がある。よって、ネットワークシステムの異常時には、中央装置は中継アンプの関連情報の一つである系統情報を表示する。特に、例えば異常系統の先頭の中継アンプを特徴的に表示する。これにより、調査すべき系統とその先頭の中継アンプが明確に表示される。
【００１５】
又、中継アンプの異常は、その中継アンプに電力を供給する電源供給器の異常が原因である場合がある。例えば、落雷等により電源供給器が故障する場合がある。よって、ネットワーク異常時にその中継アンプの電源電圧を調査し、電源電圧が所定値以下であればその電源供給器情報（例えば、系統番号）を入手し、それを伝送系統表示装置に表示する。又、電源供給器系統情報からその電源供給器が供給する他の中継アンプにもそれを表示する。即ち、電源供給器異常をも系統的に表示する。そして、伝送系統表示装置において、例えば系統的な電源供給器異常表示と、異常系統の先頭表示が重なった場合は、その系統異常は電源供給器異常が原因であると判定される。又、電源供給器異常表示がなく系統異常のみであれば、その先頭の中継アンプが異常であると推定される。電源供給器異常が発生すると、一度に多くの中継アンプが異常表示となるが、本発明では電源供給器系統情報を表示するので、管理者は混乱することなく迅速にそれに対応することができる。
【００１６】
【発明の実施の形態】
以下、本発明の実施の形態について図面を参照して説明する。なお、本発明は下記実施例に限定されるものではない。
（実施例）
図１に本発明の監視方法を適用するネットワークシステムを示す。このネットワークシステムは、例えばＣＡＴＶネットワークシステムである。尚、本実施例は需要家までの経路及び端末装置は省略してある。本実施例のＣＡＴＶネットワークシステムは、ステータスモニタである中央装置１０、中央装置１０から延出された主線路１１、主線路１１上に設けられた中継アンプ２０、中継アンプ２０から延出された分岐線路１２、中継アンプ２０に電力を供給する電源供給器３０から構成される。尚、分岐線路１２上にも勿論中継アンプ２０は設けられネットワークシステムが拡張されている。
【００１７】
上記構成において、中央装置１０はその内部に伝送経路と複数の中継アンプ２０からなる伝送系統図を表示する伝送系統表示装置１５を有している。又、中継アンプ２０はその内部に記憶装置２５を有し、系統情報、電源供給器系統情報等を記憶している。例えば、主線路１１上の各中継アンプ２０の記憶装置２５は、中央装置１０から下流に向かってそれぞれ系統番号Ａ０、Ｂ０、Ｃ０、Ｄ０を有している。又、電源供給器番号Ｓ０も有している。ここで、Ａ、Ｂ、Ｃ、Ｄ等は系統を意味し、０は主線路１１上にあることを示す。又、Ｓは電源供給器３０の識別記号を意味し、番号’０’は主線路１１上の中継アンプ２０に供給することを示す。又、分岐線路１２に設けられた中継アンプ２０も同様に、その内部の記憶装置２５にその系統を意味するＡ、Ｂ、Ｃ，Ｄと、分岐線路１２上の上流からのｎ番目を表す’ｎ’とで、Ａｎ、Ｂｎ、Ｃｎ、Ｄｎの系統番号を有している。又、給電を受ける電源給供給器番号Ｓｎも有している。尚、Ａ系統のｎ番目の中継アンプ２０が更に分岐する場合は、その分岐先の中継アンプ２０の記憶装置２５にインデックスｍを付加し例えばＡｎｍを記憶するものとする。即ち、分岐線路１２でネットワークが拡張されてもＡ、Ｂ、Ｃ、Ｄ等の系統情報は中継アンプ２０の記憶装置２５に引き継いで記憶される。
【００１８】
又、図２に中央装置１０の伝送系統表示装置１５に表示する伝送系統図を示す。伝送系統表示装置１５は、例えば液晶画面を有するコンピュータ装置である。本実施例の伝送系統図は、中央装置１０を表示する中央装置表示部１０ａ、主線路１１を表示する主線路表示部１１ａ、中継アンプ２０を表示する中継アンプ表示部２０ａ、分岐線路１２を表示する分岐線路表示部１２ａから構成される。尚、中継アンプ表示部２０ａは、中継アンプ２０の状態情報に基づいて異常を示す異常表示部２１、中継アンプ２０の関連情報に基づいて異常系列の先頭を示す先頭表示部２２、電源供給器系統を示す電源供給器系統表示部２３を有している。
【００１９】
次に、図１に示したネットワークシステム構成図に従ってネットワーク異常を監視する監視方法を説明する。先ず、中央装置１０が例えばポーリング等によって各中継アンプ２０の状態情報を取得する。状態情報とは、例えばその中継アンプ２０の電源電圧、出力電圧、増幅率等である。例えば、電源電圧、出力電圧をＡ／Ｄ変換することでそれらをデジタルで得ることができる。又、中継アンプ２０の関連情報を記憶装置２５から取得する。関連情報はその中継アンプ２０の系統番号（例えば、Ａ２）、及びその中継アンプ２０に接続された他の機器である例えば電源供給器３０の系統番号（例えばＳ２）である。
【００２０】
ネットワーク異常時には、中央装置１０は両情報を取得して図２の伝送系統図に表示する。これにより、先ず異常系統の全ての異常表示部２１が点灯される。例えば、図２においては斜線の異常表示部２１が異常系統を示している。これにより、ネットワーク異常は系統異常か個別異常かが容易に判断される。尚、例えば異常がＡ系統であればその系統固有の表示色で表示するのが望ましい。管理者は、更に容易に異常系統を識別することができる。
【００２１】
次に、中央装置１０は系統情報から系統異常であると判断した場合は、異常系統の先頭の中継アンプ表示部２０ａの先頭表示部２２を伝送系統図に他の異常の中継アンプのそれとは異なるように表示する。図２においては、黒塗りの先頭表示部２２でそれを示す。これにより、調査すべき中継アンプ２０を即座に特定することができる。尚、先頭表示部２２の表示方法は、例えば点滅表示、発光強度強調表示、異なる発光色表示等で対処できる。下流の先頭表示部２２とは異なるように表示すれば、監視者に対して効果的に表示することができる。
【００２２】
次に、中央装置１０は中継アンプ２０の関連情報により、それに接続された関連機器を調査する。関連機器とは、例えば電源供給器３０である。ネットワークシステムにおいて中継アンプ２０の異常は、落雷等による電源供給器３０の異常が原因である場合がある。このような場合に備えて、中央装置１０は中継アンプ２０の電源電圧を取得する。そして、それが所定値以下であると記憶装置２５から電源供給器系統番号Ｓｎを読み、中央装置１０の記憶装置に記憶する。これを異常を示した全ての中継アンプ２０に対して行う。そして、特定の電源供給器番号Ｓｎが例えば所定値以上検出された場合は、その系統番号Ｓｎの電源供給器３０を電源供給器系統異常として判定し、該当する伝送系統図の電源供給器系統表示部２３を点灯する。
【００２３】
例えば、図１において系統Ｓ２の電源供給器３０が異常であると、図２の×印で示した電源供給器系統表示部２３が点灯される。これにより、点線で示した電源供給器系統の異常の可能性が管理者に示される。このように、中継アンプ２０の状態情報と関連情報を同時に表示すると、先頭表示２２の点灯と、電源供給器系統表示２３の点灯がペアとなる。これにより、中継アンプ２０の異常は電源供給器３０（系統番号Ｓ２）異常に起因すると推定される。即ち、先頭の中継アンプ２０の調査の優先度が引き下げられ、逆にＳ２系統の電源供給器３０の調査の優先度が引き上げられる。又、特定の電源供給器番号Ｓｎの検出が所定値以下であれば、中継アンプ２０の電源入力部異常の可能性が考えられる。よって、電源供給器系統異常とは判定せず通常の中継アンプ異常と判定する。即ち、管理者は効率よく、又的確にネットワーク異常に対処することができる。
【００２４】
上述したように、本実施例では中央装置１０に設けられた伝送系統表示装置１５に、即ち、伝送系統図に中継アンプ２０の状態情報と関連情報を表示するようにする。このようにすれば、異常中継アンプ２０が個別的に、及び系統的に表示されるので、例えば調査対象中継アンプ２０、及び調査順序が明確になる。
又、中継アンプ２０の異常のみならず関連機器（電源供給器）系統の異常も表示されるので、同時に多数の中継アンプ異常が検出された場合においても混乱なくそれに対応することができる。即ち、中継アンプ自身のみならずその関連機器の系統異常によるネットワーク異常をも判定することができる。
【００２５】
（変形例）
以上、本発明を表わす１実施例を示したが、他にさまざまな変形例が考えられる。例えば、実施例では主線路１１、分岐線路１２は特に限定しなかったが、光ファイバでもよいし、同軸ケーブルでもよい。監視用のデータ通信が可能であれば通信媒体は光でもよいし電気（高周波）であってもよい。
又、上記実施例では、中央装置１０は主線路１１、分岐線路１２で中継アンプ２０の状態情報、関連情報を入手したが、これに限定するものではない。勿論、無線でもよい。無線通信で各中継アンプ２０の状態情報と関連情報を取得するようにしてもよい。要は、中央装置１０側で中継アンプ２０を個別的、系統的に把握するするようにすれば、そのデータの取得方法は問わない。
【００２６】
又、上記実施例では、中継アンプ２０の関連情報は中継アンプ２０の有する記憶装置２５に記憶するようにしたが、予め中央装置１０の図示しない記憶装置に記憶させておいてもよい。各中継アンプ２０と通信する必要がないので、さらに迅速対応が可能となる。
【図面の簡単な説明】
【図１】本発明を適用するネットワークシステム構成図。
【図２】本発明による監視結果を表示する伝送系統図。
【図３】従来のネットワークシステム監視方法を説明するネットワークシステム構成図。
【符号の説明】
１０…中央装置
１０ａ…中央装置表示部
１１…主線路
１１ａ…主線路表示部
１２…分岐線路
１２ａ…分岐線路表示部
２０…中継アンプ
２０ａ…中継アンプ表示部
２１…異常表示部
２２…先頭表示部
２３…電源供給器系統表示部
２５…記憶装置
３０…電源供給器
【図１】
2004215027.tif 000003
【図２】
2004215027.tif 000004
【図３】
2004215027.tif 000005